(57)【特許請求の範囲】
【請求項１】
ヘッドの押し下げ及び復帰の繰り返しにより内容物を吐出する吐出容器のヘッド操作用アタッチメントであって、
吐出容器に取り外し可能に保持される保持部と、当該保持部に設けられた天壁から上方に向かって起立する支柱と、当該支柱の先端部に揺動可能に支持されるとともにヘッドを上方から押圧可能な押圧部材と、当該押圧部材の側面に回転可能に支持される回転部材と、当該回転部材から一体に伸びるアーム部材とを備え、
回転部材を一方に回転させることにより、アーム部材の先端を天壁に接触させてヘッドの押し下げを阻止する一方、当該回転部材を他方に回転させることにより、アーム部材の先端を引き起こしてヘッドを押し下げるための操作レバーとして機能させることを特徴とする吐出容器のヘッド操作用アタッチメント。
【請求項２】
請求項１において、押圧部材の内周面に長溝を形成するとともに、当該長溝に配置される突起を回転部材に設け、当該突起が長溝の終端に接触することで回転部材の回転角度を制限するようにしたことを特徴とする吐出容器のヘッド操作用アタッチメント。
【請求項３】
請求項１又は２において、押圧部材の側面及び回転部材の側面の少なくとも一方に、指を引っ掛けるための凹所を形成したことを特徴とする吐出容器のヘッド操作用アタッチメント。
【請求項４】
請求項１乃至３のいずれか１項において、天壁に、アーム部材の先端を乗り越え可能に係止する突出部を設けたことを特徴とする吐出容器のヘッド操作用アタッチメント。
【請求項５】
請求項１乃至４のいずれか１項において、支柱に、ヘッドに設けたノズルを貫通させる開口部を形成したことを特徴とする吐出容器のヘッド操作用アタッチメント。
【請求項６】
請求項１乃至５のいずれか１項において、アーム部材に、ノズルカバーを設けたことを特徴とする吐出容器のヘッド操作用アタッチメント。
【発明の詳細な説明】
【技術分野】
【０００１】
本発明は、吐出容器のヘッド操作用アタッチメントに関するものである。
【背景技術】
【０００２】
操作性を考慮した吐出容器のヘッド操作用アタッチメントには、ヘッドが突出する容器本体の取付キャップに筒体を被嵌させ、この筒体から支柱を立設させるとともに当該支柱に操作レバーを設け、この操作レバーを介してヘッドを押し下げることで、操作性を向上させたものがある（例えば、特許文献１参照）。
【先行技術文献】
【特許文献】
【０００３】
【特許文献１】特開２０１０−８３５２７号公報
【発明の概要】
【発明が解決しようとする課題】
【０００４】
しかしながら、こうしたアタッチメントは、筒体を被嵌させることで、様々な吐出容器に対して汎用性を有するものの、操作性が良好であることから、不用意にレバーを操作することで、中身を吐出させてしまうことが考えられる。これに対し、レバーを不用意に牽曳させないように、ストッパやオーバーキャップを設けることも考えられるが、紛失などの可能性がある。
【０００５】
本発明の目的とするところは、様々な吐出容器に対して汎用性を有しつつ、誤ったポンプ操作を防止することができるとともに、操作性の良好な、新規な吐出容器のヘッド操作用アタッチメントを提供することにある。
【課題を解決するための手段】
【０００６】
本発明は、ヘッドの押し下げ及び復帰の繰り返しにより内容物を吐出する吐出容器のヘッド操作用アタッチメントであって、吐出容器に取り外し可能に保持される保持部と、当該保持部に設けられた天壁から上方に向かって起立する支柱と、当該支柱の先端部に揺動可能に支持されるとともにヘッドを上方から押圧可能な押圧部材と、当該押圧部材の側面に回転可能に支持される回転部材と、当該回転部材から一体に伸びるアーム部材とを備え、回転部材を一方に回転させることにより、アーム部材の先端を天壁に接触させてヘッドの押し下げを阻止する一方、当該回転部材を他方に回転させることにより、アーム部材の先端を引き起こしてヘッドを押し下げるための操作レバーとして機能させることを特徴とするものである。
【０００７】
本発明では、押圧部材の内周面に長溝を形成するとともに、当該長溝に配置される突起を回転部材に設け、当該突起が長溝の終端に接触することで回転部材の回転角度を制限することができる。また、押圧部材の側面及び回転部材の側面の少なくとも一方に、指を引っ掛けるための凹所を形成することができる。凹所には、貫通孔が含まれる。また、天壁に、アーム部材の先端を乗り越え可能に係止する突出部を設けることができる。さらに、支柱には、ヘッドに設けたノズルを貫通させる開口部を形成することができる。また、アーム部材に、ノズルカバーを設けることもできる。
【発明の効果】
【０００８】
本発明のアタッチメントは、吐出容器に取り外し可能に保持される保持部を有することで、様々な吐出容器に採用することができるとともに、必要に応じて取り外すこともできる。また、本発明によれば、回転部材を一方に回転させることで、アーム部材の先端が保持部の天壁に接触するため、ヘッドの押し下げを阻止することができる。これにより、誤ったポンプ操作を防止することができる。また、回転部材を他方に回転させることにより、アーム部材を引き起こせば、アーム部材を操作レバーとして用いて内容物を吐出させることができる。これにより、操作レバーを設けたときと同様、良好な操作性を維持することができる。
【０００９】
従って、本発明によれば、様々な吐出容器に対して汎用性を有しつつ、誤ったポンプ操作を防止することができるとともに、操作性の良好な、新規な吐出容器のヘッド操作用アタッチメントを提供することができる。
【図面の簡単な説明】
【００１０】
【図１】本発明である、吐出容器のヘッド操作用アタッチメントの第１の実施形態であって、ヘッドの押し下げが阻止された状態を吐出容器とともに示す要部斜視図である。
【図２】同形態を吐出容器とともに示す要部分解図である。
【図３】同形態をヘッドの押し下げが阻止された状態で吐出容器とともに示す要部側面図である。
【図４】同形態の一使用可能状態を吐出容器とともに示す要部斜視図である。
【図５】同使用状態を吐出容器とともに示す要部側面図である。
【図６】同形態の他の使用状態を吐出容器とともに示す要部斜視図である。
【図７】本発明である、吐出容器のヘッド操作用アタッチメントの第２の実施形態であって、ヘッドの押し下げが阻止された状態を吐出容器とともに示す要部斜視図である。
【図８】同形態の一使用可能状態を吐出容器とともに示す要部斜視図である。
【図９】本発明である、吐出容器のヘッド操作用アタッチメントの第３の実施形態であって、ヘッドの押し下げが阻止された状態を吐出容器とともに示す要部斜視図である。
【図１０】本発明である、吐出容器のヘッド操作用アタッチメントの第４の実施形態を吐出容器とともに示す要部分解図である。
【発明を実施するための形態】
【００１１】
以下、図面を参照して、本発明の様々な実施形態を詳細に説明する。
【００１２】
図１中、符号１は、本発明であるアタッチメントを採用可能な吐出容器である。符号２は、内容物が充填される容器本体である。符号３は、容器本体２の口部（図示省略）に装着されるキャップである。キャップ３は、図２に示すように、容器本体２の口部を取り囲む周壁３ａと、平坦な天壁３ｂで構成されている。容器本体２とキャップ３との間は、図示せぬポンプが配置されている。天壁３ｂには、貫通孔３ｃが形成されている。貫通孔３ｃには、ポンプを駆動させるとともに容器本体２の内容物を通すステム４が摺動可能に貫通している。
【００１３】
符号５は、ポンプを駆動させるとともに内容物を排出するためのヘッドである。ヘッド５は、ステム４に固定されるヘッド本体５ａとノズル５ｂとを有する。ノズル５ｂは、先端に吐出口Ａ０を有し、ステム４からヘッド本体５ａを通して送られた内容物を吐出する。これにより、ヘッド５は、キャップ３の上方に配置されてその押し下げ及び復帰の繰り返しにより容器本体２の内容物を排出する。
【００１４】
ここで、図２中には、本発明の第１の実施形態であるアタッチメント１０がパーツごとに分解された状態で示されている。図中、符号１１は、キャップ３に取り外し可能に保持される保持部である。保持部１１は、合成樹脂等の変形及び復元が可能な材料からなり、キャップ３の周壁３ａに対して取り外し可能に嵌合するバンド部１１ａを有する。バンド部１１ａは、２つの端縁１１ｂを有し、これら端縁１１ｂの間に、周壁３ａを挿入するための開口部Ａ１が形成されている。これにより、保持部１１は、開口部Ａ１を通して周壁３ａを挿入することで、キャップ３に対して取り外し可能に嵌合する。
【００１５】
バンド部１１ａの上端には、平坦な天壁１１ｃが一体に設けられている。天壁１１ｃは、図１等に示すように、キャップ３に取り付けたときに、ステム４と干渉しないように設けられている。
【００１６】
また、天壁１１ｃには、上方に向かって起立する支柱１２が一体に設けられている。支柱１２の先端部１２ａには、図２に示すように、先端を開放する凹部１２ｃが形成されているとともに、横向きの貫通孔１２ｂが形成されている。また、本形態では、先端部１２ａの横幅が幅広に構成されている。さらに、本形態では、支柱１２に、ノズル５ｂを貫通させる開口部Ａ２が形成されている。これにより、支柱１２は、天壁１１ｃに対して間隔を置いて配置された２つの脚部１２ｈによって固定されている。開口部Ａ２は、縦長に形成されている。これにより、ノズル５ｂが支柱１２に干渉することなく、ヘッド５の上下動を許容する。
【００１７】
符号１３は、ヘッド５を上方から押圧可能な押圧部材である。押圧部材１３は、円筒形の押圧本体部１３ａを有する。押圧本体部１３ａは、その内側に貫通孔Ａ３が形成されている。押圧本体部１３ａは、ヘッド５の天壁５ｃに接触させることができる。押圧本体部１３ａの外面には、凸部１３ｃが一体に形成されている。凸部１３ｃは、支柱１２に形成された凹部１２ｃに収容することができる。また、凸部１３ｃの左右両側には、軸部１３ｂが一体に設けられている。軸部１３ｂはそれぞれ、支柱１２の貫通孔１２ｂに回転可能に嵌合させることができる。これにより、軸部１３ｂを貫通孔１２ｂに嵌合させれば、押圧部材１３は、支柱１２に対して貫通孔１２ｂ周りに揺動させることができる。なお、本発明に従えば、貫通孔１２ｂと軸部１３ｂとの関係は置き換えることができる。また、貫通孔１３ｂは、凹部で構成することができる。
【００１８】
符号１４は、押圧部材１３に対して回転可能な回転部材である。回転部材１４は、大径部１４ａと小径部１４ｂからなる。小径部１４ｂは、押圧本体部１３ａに形成された貫通孔Ａ３に摺動可能に嵌合する。大径部１４ａは、押圧本体部１３ａの側面と接触することで、貫通孔Ａ３に対する小径部１４ｂの挿入を制限する。これにより、回転部材１４は、押圧部材１３の側面に回転可能に支持される。なお、本形態では、小径部１４ｂの外周に、突起１４ｓが一体に設けられている。これに対し、押圧本体部１３ａの内周面には、周方向に沿って長溝１３ｄが形成されている。本形態では、長溝１３ｄは、図示のように、押圧本体部１３ａの側面に開放されている。長溝１３ｄには、小径部１４ｂに設けた突起１４ｓを配置することができる。これにより、回転部材１４は、突起１４ｓが長溝１３ｄの終端１３ｓに接触するまで前後に回転させることができる。また、本発明に従えば、長溝１３ｄは、螺旋溝として構成することができる。さらに、回転部材１４の内側には貫通孔Ａ４が形成されている。これにより、押圧部材１３に回転部材１４を組み付ければ、本形態のように、貫通孔Ａ３及びＡ４は全体として、互いを通して外界に通じる貫通孔としてなる。
【００１９】
符号１５は、回転部材１４に設けられたアーム部材である。アーム部材１５は、大径部１４ａから一体に伸びる。本形態では、先端部１５ａの横幅が幅広に構成されている。さらに、本形態では、先端部１５ａは、ノズル５ｂの下側を横切ってノズル５ｂの直下にオーバーラップした状態に形成されている。アーム部材１５の先端１５ｅは、図３に示すように、保持部１１の天壁１１ｃに接触させることができる。先端１５ｅが天壁１１ｃに接触すれば、アーム部材１５がつっかえ棒となって、押圧部材１３は回転部材１４とともに支柱１２に対して回転できないことなる。このため、押圧部材１３が軸部１５ｂを基点に回転することによって、ヘッド５を押し下げることを阻止できる。これにより、誤ったポンプ操作を防止することができる。
【００２０】
本形態では、保持部１１の天壁１１ｃには、突出部１１ｐが一体に設けられている。突出部１１ｐは、アーム部材１５の先端部１５ａを係止する。これにより、アーム部材１５を強固に位置決めすることで確実なストッパ機能を発揮させることができる。なお、図３は、アーム部材１５の先端部１５ａが突出部１１ｐに係止された状態を示す側面図である。
【００２１】
また、アーム部材１５の先端部１５ａは、押圧部材１３に対して回転するときに一定以上の回転力が負荷されることよって突出部１１ｐを乗り越えることができる。アーム部材１５は、回転部材１４を他方に回転させて、突出部１１ｐを乗り越えることにより、図４に示すように、引き起こすことができる。本形態では、回転部材１４が押圧部材１３周りに回転する角度は、例えば、押圧本体部１３ａに形成した長溝１３ｄの長さを調整して２つの終端１３ｓ（図２参照）の間の周方向距離を適宜変更することで、図３に示すように、アーム部材１５の先端１５ｅが保持部１１の天壁１１ｃに接触した位置から、図４に示すように、約２７０度までの範囲を回転させることができる。ただし、本発明に従えば、回転部材１４の回転角度は、これに限定されるものではない。
【００２２】
引き起こされたアーム部材１５は、回転部材１４に設けた突起１４ｓが押圧本体部１３ａに形成した長溝１３ｄのうちの、一方の終端１３ｓに接触した状態（本形態では、図４に示す２７０度の状態）で固定されることにより、ヘッドを押し下げるための操作レバーとして機能させることができる。この場合、使用の一例として、図５に示すように、引き起こされたアーム部材１５の先端部１５ａを押し下げれば、押圧部材１３は、貫通孔１２ｂ周りに揺動して押し下げられることで、ヘッド５の天壁５ｃを押し下げる。このように、アーム部材１５を用いれば、貫通孔１２ｂ内に配置された軸部１３ｂを支点とした、てこの原理により、ヘッド５を軽い力で押し下げることができる。
【００２３】
また、アーム部材１５の押し下げを解除すれば、ステム４を介してヘッド５が上方に押し上がって初期位置に復帰する。この操作を繰り返せば、アーム部材１５を操作レバーとして用いて内容物を吐出させることができる。従って、本形態では、操作レバーを設けたときと同様、良好な操作性を維持することができる。
【００２４】
加えて、本形態のアタッチメント１０は、キャップ３に取り外し可能に保持される保持部１１を有することで、様々な吐出容器に採用することができるとともに、必要に応じて取り外すこともできる。
【００２５】
このように、本形態によれば、様々な吐出容器に対して汎用性を有しつつ、誤ったポンプ操作を防止することができるとともに、操作性の良好な、新規な吐出容器のヘッド操作用アタッチメントを提供することができる。
【００２６】
なお、本発明に従えば、保持部１１は、本形態のように、キャップ３に保持されるものに限定されるものではなく、例えば、容器本体２が肩部を有するボトルの場合、容器本体２から取り外し可能な肩カバーが含まれる。また、本形態では、図３等に示すように、アーム部材１５に反りを与えることで、ストッパ機能を解除するときは、突出部１１ｐを乗り越えやすく、操作レバーとして機能させるときには、指が掛かり易くなっている。このように、本形態では、アーム部材１５に反りを与えることで、操作性の向上を図っている。
【００２７】
また、本形態では、上述のとおり、押圧部材１３の側面及び回転部材１４の側面に開口する貫通孔Ａ３及びＡ４が形成されている。このため、図６に示すように、貫通孔Ａ３及びＡ４に指を通して引っ掛けることでヘッド５を押し下げることができる。このとき、ヘッド５を押圧する指がずれないため、良好な操作性を確保することができる。また、貫通孔Ａ３及びＡ４を用いることで、吐出容器１とともに吊り下げることもできる。
【００２８】
なお、本形態では、指を引っ掛けるための凹所を貫通孔Ａ３及びＡ４で構成したが、本発明に従えば、文言とおり、押圧部材１３と回転部材１４との間を貫通させることなく、押圧部材１３の側面及び回転部材１４の側面の少なくとも一方に形成した凹部で構成することができる。
【００２９】
図７及び図８は、本発明の第２の実施形態であるアタッチメント２０を装着した吐出容器１の不使用時及び使用時それぞれを示す。本形態では、アーム部材１５に、ノズルカバー１６が一体に設けられている。このように、ノズルカバー１６を設ければ、内容液が固化し難くなるので、良好な操作性の維持に有効である。なお、本形態において、図１〜図６と同一の部分は、同一の符号をもって、その説明を省略する。
【００３０】
図９は、本発明の第３の実施形態であるアタッチメント３０を示す。アタッチメント３０は、回転部材１４が単独の脚部で構成された支柱１２で支持されている。支柱１２は、天壁１１ｃに対してノズル５ｂに対してずらした位置に設けられている。このため、先端部１２ａは、ノズル５ｂの上側を横切ってオーバーラップした状態に形成されている。なお、本形態において、他の形態と同一の部分は、同一の符号をもって、その説明を省略する。
【００３１】
図１０は、本発明の第４の実施形態であるアタッチメント４０を示す。アタッチメント３０は、保持部１１と押圧部材１３が一体に設けられている。押圧部材１３は、ヒンジ１７を介して支柱１２の先端部１２ａに揺動可能に支持される。また、本形態では、アーム部材１５の先端部１５ａの下端に突起１５ｐを一体に設けている。突起１５ｐは、アーム部材１５を回転させることにより、突出部１１ｐに係止される。これにより、アーム部材１５を保持部１１に固定することができる。なお、本形態において、他の形態と同一の部分は、同一の符号をもって、その説明を省略する。
【００３２】
上述したところは、本発明の様々な実施形態であるが、本発明に従えば、様々な変更が可能となる。例えば、バンド部１１ａの内側には、その周方向に沿って、ローレット等の凹凸を設けることができる。この場合、バンド部１１ａをキャップ３等に対して回り止めをすることができる。また、保持部１１と支柱１２は、本形態のように一体に成形する他、別体として組み付けることができる。回転部材１４とアーム部材１５についても同様に、別体として組み付けることができる。押圧本体部１３ａは、本形態のように、断面円筒形とすれば、ヘッド５に対する押圧がスムースに行われるために好適であるが、これに限定されるものではない。また、貫通孔Ａ３及びＡ４のような凹所は省略することができる。更に、各形態の各構成中に採用される要素は、適宜、転用等を行うことができる。
【産業上の利用可能性】
【００３３】
本発明は、容器の口部に装着されるキャップと、当該キャップの上方に配置されてその押し下げ及び復帰の繰り返しにより容器の内容物を吐出するヘッドとを備える吐出容器のヘッドの操作に用いるものであれば、吐出容器の形状や、シャンプー、リンス、乳液、化粧品等、内容物を問わない。
【符号の説明】
【００３４】
１      吐出容器
２      容器本体
３      キャップ
４      ステム
５      ヘッド
５ａ    ヘッド本体
５ｂ    ノズル
１０    アタッチメント（第１の実施形態）
１１    保持部
１１ａ  バンド部
１１ｂ  バンド部端縁
１１ｃ  天壁
１１ｐ  突出部
１２    支柱
１２ｈ  脚部
１３    押圧部材
１４    回転部材
１５    アーム部材
１５ａ  先端部
１５ｅ  先端
１６    ノズルカバー
１７    ヒンジ
２０    アタッチメント（第２の実施形態）
３０    アタッチメント（第３の実施形態）
４０    アタッチメント（第４の実施形態）
【図１】
0005859382.tif 000002
【図２】
0005859382.tif 000003
【図３】
0005859382.tif 000004
【図４】
0005859382.tif 000005
【図５】
0005859382.tif 000006
【図６】
0005859382.tif 000007
【図７】
0005859382.tif 000008
【図８】
0005859382.tif 000009
【図９】
0005859382.tif 000010
【図１０】
0005859382.tif 000011